(57)【要約】【課題】支柱に対して保持棒材を極めて簡単に固定することができるとともに、強風等によって大きな力が加わっても、確実に安定した状態で保持することが可能な植物栽培用の支柱保持装置を提供する。【解決手段】支柱３に装着される第二アタッチメント１４は、上下方向に摺動可能な筒状部材１５と、支柱３間に架け渡される中央横設棒材６を受止める受止突部１７と、筒状部材１５の外周面から前方及び左右方向にそれぞれ突出する丸棒状の第一突出部２７及び第二突出部２８とを備える。また、支柱３の左右方向の振れを抑制する第一支持棒部３３は、第一突出部２７に掛止可能な第一掛止部３４を上端側に有し、支柱３の前後方向の振れを抑制する第二保持棒材９は、第二突出部２８に掛止可能な第二掛止部４０を上端側に有する。【選択図】図２
2011004700.tif 000002
【特許請求の範囲】
【請求項１】
下端部分が土壌に差込まれる一対の支柱に対して夫々着脱可能に装着され、蔓性植物用ネットを張設するための横設棒材を保持するアタッチメントと、
該アタッチメント及び土壌の間で、左右方向に傾斜して配設されることで、前記支柱における左右方向の振れを抑制する第一保持棒材と、
前記アタッチメント及び土壌の間で、前後方向に傾斜して配設されることで、前記支柱における前後方向の振れを抑制する第二保持棒材と
を具備し、
前記アタッチメントは、
前記支柱に緩やかな状態で外嵌されるとともに上下方向に摺動可能な筒状部材、
前記支柱に対して前記筒状部材を任意の高さで固定させる固定部材、
前記筒状部材の外周面から前方または後方に突出し、前記支柱間に架け渡される前記横設棒材を受止める受止突部、
前記筒状部材または前記受止突部に形成され前方または後方に突出する丸棒状の第一突出部、
及び前記筒状部材または前記受止突部に形成され左方または右方に突出する丸棒状の第二突出部、を備え、
前記第一保持棒材は、前記第一突出部に掛止可能な第一掛止部を上端側に有し、土壌に接地される第一接地部を下端側に有して構成され、
前記第二保持棒材は、前記第二突出部に掛止可能な第二掛止部を上端側に有し、土壌に接地される第二接地部を下端側に有して構成され、
さらに、前記第一保持棒材に対して略直角となるように前記第一接地部を通して土壌に打込まれる第一アンカー部材と、
前記第二保持棒材に対して略直角となるように前記第二接地部を通して土壌に打込まれる第二アンカー部材と
を備えることを特徴とする植物栽培用の支柱保持装置。
【発明の詳細な説明】
【技術分野】
【０００１】
本発明は、植物栽培用の支柱保持装置、特に、蔓性植物用のネット材を張設された状態で支持するための支柱が、植物の重みや強風等によって傾いたり倒れたりすることを防止する植物栽培用の支柱保持装置に関するものである。
【背景技術】
【０００２】
例えば、エンドウ、インゲン、キュウリ、またはニガウリ等の蔓性の植物を栽培する場合、畝に沿って張設されるネット材と、そのネット材を支持する一対の支柱とが用いられる。また、植物の重みが加わってもネット材が撓まないように、一対の支柱の上部間に竿等の横設棒材を架け渡し、この横設棒材にネット材を吊下げるようにすることも行われている。なお、この場合、一般には、支柱と横設棒材との交差部分は、紐等を用いて十字に固定されるが、作業者の負担を軽減するため、支柱の上部と横設棒材の端部とを交差させた状態で連結する連結具も提案されている（特許文献１参照）。
【０００３】
ところで、支柱は、下端部分が土壌に差込まれて立設されるが、傾いた状態で設置された場合には、植物の生育に伴って増加するネット材の重みによって支柱の傾斜度合が次第に大きくなり、ネット材や横設棒材を安定して支持することができなくなる。また、支柱が真直ぐ立設された場合でも、強風等によってネット材に力が加わった際には、支柱に応力が集中することとなり、畝に対して垂直な方向に傾いたり倒れたりすることがある。そして、このような支柱の傾きや転倒は、植物に大きな被害を及ぼすことが懸念されている。
【０００４】
そこで、支柱の上部または中央部分から土壌に向って斜めに補強用の棒材を配設する方法も従来から採用されている。これによれば、補強用の棒材（以下、「保持棒材」という）によって支柱を保持することで、支柱の傾きや転倒を抑制することが可能になる。なお、この際、補強用の棒材の上部側は、支柱に対して交差させた状態で紐等を用いて固定され、下端側は土壌に差込むことで固定される。
【発明の概要】
【発明が解決しようとする課題】
【０００５】
しかし、従来の方法によれば、保持棒材を手で支えながら紐等を用いて支柱に固定する必要があるため、作業に時間を要するとともに一人で組付けることが困難となっていた。また、紐の結び方に不慣れな者にとっては、保持棒材を強固に固定することが難しく、ひいては支柱の保持が不安定になるおそれがあった。
【０００６】
また、強風等によって、保持棒材の配設方向とは逆向きに力を受けた場合には、保持棒材を土壌から引き抜くように力が作用することとなり、これによれば支柱が保持棒材とともに倒れるおそれがあった。
【０００７】
そこで、本発明は、上記の実状に鑑み、支柱に対して保持棒材を極めて簡単に固定することができるとともに、強風等によって大きな力が加わっても、確実に安定した状態で保持することが可能な植物栽培用の支柱保持装置、を提供することを課題とするものである。
【課題を解決するための手段】
【０００８】
本発明にかかる植物栽培用の支柱保持装置は、「下端部分が土壌に差込まれる一対の支柱に対して夫々着脱可能に装着され、蔓性植物用ネットを張設するための横設棒材を保持するアタッチメントと、
該アタッチメント及び土壌の間で、左右方向に傾斜して配設されることで、前記支柱における左右方向の振れを抑制する第一保持棒材と、
前記アタッチメント及び土壌の間で、前後方向に傾斜して配設されることで、前記支柱における前後方向の振れを抑制する第二保持棒材と
を具備し、
前記アタッチメントは、
前記支柱に緩やかな状態で外嵌されるとともに上下方向に摺動可能な筒状部材、
前記支柱に対して前記筒状部材を任意の高さで固定させる固定部材、
前記筒状部材の外周面から前方または後方に突出し、前記支柱間に架け渡される前記横設棒材を受止める受止突部、
前記筒状部材または前記受止突部に形成され前方または後方に突出する丸棒状の第一突出部、
及び前記筒状部材または前記受止突部に形成され左方または右方に突出する丸棒状の第二突出部、を備え、
前記第一保持棒材は、前記第一突出部に掛止可能な第一掛止部を上端側に有し、土壌に接地される第一接地部を下端側に有して構成され、
前記第二保持棒材は、前記第二突出部に掛止可能な第二掛止部を上端側に有し、土壌に接地される第二接地部を下端側に有して構成され、
さらに、前記第一保持棒材に対して略直角となるように前記第一接地部を通して土壌に打込まれる第一アンカー部材と、
前記第二保持棒材に対して略直角となるように前記第二接地部を通して土壌に打込まれる第二アンカー部材と
を備える」ことを特徴とするものである。
【０００９】
ここで、「支柱」、「蔓性植物用ネット」及び「横設棒材」は、市販品または既存のものを用いることが可能である。また、第一保持棒材が配設される「左右方向」とは、蔓性植物用ネットに対して平行であることを示しており、支柱の上部から植物栽培領域（例えば畝）の内側に向って配設されるようにしてもよく、植物栽培領域の外側に向って配設されるようにしてもよい。また、第二保持棒材が配設される「前後方向」とは、蔓性植物用ネットに対して垂直であることを示しており、前方に向って配設されるようにしてもよく、後方に向って配設されるようにしてもよい。
【００１０】
本発明の植物栽培用の支柱保持装置によれば、土壌に差込まれた一対の支柱にアタッチメントが装着されると、蔓性植物用ネットを張設するための横設棒材を支持することが可能になるとともに、第一保持棒材及び第二保持棒材の上端側を掛止することが可能になる。詳しく説明すると、アタッチメントの筒状部材を支柱に外嵌させ、固定部材を作用させると、アタッチメントは支柱に対して任意の位置で固定される。アタッチメントには、筒状部材の外周面から前方または後方に突出する受止突部が設けられているため、一対の支柱間に架け渡される横設棒材の端部側を受止め支持することが可能になる。なお、筒状部材は上下方向に摺動可能であるため、筒状部材の高さを調整することにより、横設棒材の高さを任意に設定することが可能である。
【００１１】
一方、筒状部材または受止突部には、第一突出部が突出して形成されており、第一保持棒材の上端側に形成された第一掛止部が第一突出部に掛止されることにより、アタッチメントに対して第一保持棒材が連結された状態となる。つまり、第一突出部は丸棒状であるため、第一突出部に対して第一掛止部を引掛けるだけで、互いに連結することが可能となる。特に、第一突出部の断面は略円形であることから、第一掛止部を第一突出部周りに回動させること、すなわち第一保持棒材の傾斜角度を自由に変化させることが可能となる。また、第一突出部は、前方または後方に突出しているため、第一突出部に掛止される第一掛止部、ひいてはアタッチメントに連結される第一保持棒材は、左右方向に配設された状態となる。
【００１２】
また、筒状部材または受止突部には、第二突出部も突出して形成されているため、第二保持部材の上端側に形成された第二掛止部が第二突出部に掛止されることにより、アタッチメントに対して第二保持棒材が連結された状態となる。なお、第二突出部及び第二掛止部の関係は、前述した第一突出部及び第一掛止部の関係と同様であるが、第二突出部は、左方または右方に突出しているため、第二突出部に掛止される第二掛止部、ひいてはアタッチメントに連結される第二保持棒材は、前後方向に配設された状態となる。
【００１３】
このように、左右方向に配設される第一保持棒材と前後方向に配設される第二保持棒材とを、アタッチメントに連結させることにより、支柱の左右方向及び前後方向の振れを防止することが可能になる。特に、第一保持棒材及び第二保持棒材の下端側に形成された第一接地部及び第二接地部は、土壌に接地されるとともに、第一保持棒材及び第二保持棒材に対してそれぞれ略直角の方向に打込まれる第一アンカー部材及び第二アンカー部材によって固定されるため、譬え、強風等によって第一保持棒材または第二保持棒材の長手方向に外力が加わっても、第一保持棒材または第二保持棒材を確実に接地させることができ、ひいては支柱を常に安定した状態に保持することが可能になる。
【発明の効果】
【００１４】
このように、本発明によれば、互いに直角方向に突出する丸棒状の第一突出部及び第二突出部に対して、第一掛止部及び第二掛止部を掛止するのみで、アタッチメントと第一保持棒材及び第二保持棒材とを連結することが可能になるため、支柱に対して保持棒材を極めて簡単に固定することができる。また、第一保持棒材及び第二保持棒材の下端は、略直角方向に打込まれる第一アンカー部材及び第二アンカー部材によって固定されるため、強風等によって大きな力が加わっても、支柱を安定した状態で保持することができる。
【図面の簡単な説明】
【００１５】
【図１】本実施形態の支柱保持装置を用いた植物栽培システムを示す斜視図である。
【図２】（ａ）は支柱保持装置の構成を示す分解斜視図であり、（ｂ）は支柱保持装置の構成を示す断面図である。
【図３】（ａ）は横架アタッチメントの構成を示す斜視図であり、（ｂ）はそれを用いて構成される植物栽培システムを示す斜視図である。
【発明を実施するための形態】
【００１６】
以下、本発明の実施形態である植物栽培用の支柱保持装置１（以下、単に「支柱保持装置１」と称す）を用いた植物栽培システム２について、図１乃至図３に基づき説明する。なお、本実施形態においては、便宜上、ネット材４の張設方向を左右方向とし、第二保持棒材９が配設される方向を前方とする。そして、このように仮定した場合、図１は左斜め前方から見た斜視図となる。
【００１７】
図１に示すように、本例の植物栽培システム２は、複数本（例えば３本）の支柱３と、それらの支柱３の間に張設されるネット材４と、ネット材４を張設した状態で支持する三本の横設棒材、すなわち上側横設棒材５、中央横設棒材６、及び下側横設棒材７と、各横設棒材５，６，７を夫々支持する第一アタッチメント１３及び第二アタッチメント１４と、を備えて構築されている。特に、第二アタッチメント１４は、支柱保持装置１の一部として機能しており、支柱３を安定した状態で支持することを可能にしている。なお、支柱３、ネット材４、上側横設棒材５、中央横設棒材６、及び下側横設棒材７については、従来から使用されている周知のものであるため、詳細な説明は省略する。ここで、ネット材４が本発明の蔓性植物用ネットに相当し、中央横設棒材６が本発明の横設棒材に相当し、第二アタッチメント１４が本発明のアタッチメントに相当する。
【００１８】
支柱保持装置１は、支柱３の中央部分に着脱可能に装着される第二アタッチメント１４と、第二アタッチメント１４及び土壌ｄの間で左右方向（ネット材４に対して平行な方向）に傾斜して配設される第一保持棒材８と、第二アタッチメント１４及び土壌ｄの間で前方に傾斜して配設される第二保持棒材９と、第一保持棒材８及び第二保持棒材９の下端を夫々固定する第一アンカー部材１０及び第二アンカー部材１１とを具備している。
【００１９】
まず、第二アタッチメント１４について図２に基づき詳しく説明する。第二アタッチメント１４は、支柱３に外嵌される合成樹脂製の筒状部材１５と、支柱３に対して筒状部材１５を任意の位置で固定させる固定部材１６と、筒状部材１５の外周面から前方（すなわちネット材４に対して垂直な方向）に突出して形成され第一保持棒材８が掛止される第一突出部２７と、筒状部材１５の外周面から右方向または左方向（すなわちネット材４に対して平行な方向）に突出して形成され第二保持棒材９が掛止される第二突出部２８と、筒状部材１５の外周面から後方に突出して形成され中央横設棒材６（または下側横設棒材７）を受止め支持する受止突部１７と、を備えて構成されている。
【００２０】
筒状部材１５は、支柱３に対して緩やかな状態で外嵌されるとともに上下方向に摺動可能な円筒状の部材からなる。なお、筒状部材１５の大きさは特に限定されるものではないが、多用されている一般的な径の支柱３が挿入可能となるように、内径が３０ｍｍ程度に設定されることが好ましい。固定部材１６は、筒状部材１５の内部に配設され支柱３の外周面に当接可能な円弧状の内周面を有する当接部材２０と、その当接部材２０の上部及び下部に接続され当接部材２０を筒状部材１５の内部で水平方向に変位可能に支持する支持部材２１と、筒状部材１５に螺合されるとともに先端で当接部材２０を押圧することにより、当接部材２０の内周面を支柱３の外周面に圧接させる一対の締付ネジ２２と、を具備して構成されている。これによれば、筒状部材１５の内周面と当接部材２０の内周面との間で支柱３を挟持することとなり、支柱３に対し筒状部材１５を任意の位置で固定することが可能になる。特に、当接部材２０と支柱３とが面同士で接触するため、締付ネジ２２の先端が支柱３に直接圧接されるものに比べて応力を分散させることができ、支柱３の表面に形成された被覆材の剥れや支柱３の破損を防止することが可能となる。
【００２１】
また、第一突出部２７及び第二突出部２８は、丸棒状の部材からなり、先端には、第一保持棒材８及び第二保持棒材９の外れを防止する径大のストッパー２７ａ，２８ａが形成されている。また、第二突出部２８に対しては、図３に示すように、横架アタッチメント４５を介して連結棒材５０を連結させることが可能になっている。詳しく説明すると、横架アタッチメント４５は、連結棒材５０が挿通可能な円筒状の筒部４６と、筒部４６の周面に穿設され第二突出部２８に係止可能な係止孔部４７と、筒部４６に対して連結棒材５０を締結させる締付ねじ４８とを具備している。これによれば、図３（ｂ）に示すように、隣接する２組の植物栽培システム２を構築する際に、中央横設棒材６に交差する連結棒材５０と横架アタッチメント４５とを組合わせることにより、隣合う中央横設棒材６同士を、横架アタッチメント４５を介して連結することが可能になる。つまり、連結棒材５０に二つの横架アタッチメント４５を装着し、第二アタッチメント１４に連結すれば、連結棒材５０によって中央横設棒材６同士の間隔を一定に保つことができ、ひいては何れか一方の植物栽培システム２における保持構成を簡略化することが可能になる。
【００２２】
図２に示すように、受止突部１７は、上側が開いた円弧状のフックからなり、筒状部材１５の外周面から後方に突出している。そして、受止突部１７上に中央横設棒材６の端部側を載せることにより、中央横設棒材６を支柱３間に架け渡した状態で受け止め支持することが可能となっている。
【００２３】
一方、図２に示すように、左右方向に傾斜して配設される第一保持棒材８は、支柱３よりも短い金属製の第一支持棒部３３と、第一支持棒部３３の上端側に形成された複数（本例では３つ）の第一掛止部３４と、第一支持棒部３３の下端側に形成された第一接地部（図示しない）とからなる。第一掛止部３４は、第二アタッチメント１４の第一突出部２７に掛止可能な透孔からなり、その直径はストッパー２７ａよりも大きくなっている。つまり、ストッパー２７ａを通して第一突出部２７に第一掛止部３４を外方から引掛けるだけで、互いに連結させることが可能となっている。特に、第一突出部２７の断面は円形であることから第一掛止部３４を第一突出部２７周りに回動させること、すなわち第一保持棒材８の傾斜角度を自由に変化させることが可能となっている。また、複数の第一掛止部３４が、上下方向に一定の間隔で並設されているため、第二アタッチメント１４から第一支持棒部３３の下端までの長さを任意に調整することが可能になる。つまり、中央横設棒材６の高さを変えることなく、第一支持棒部３３の延出長さを変化させることが可能である。
【００２４】
第一支持棒部３３の下端に設けられた第一接地部は土壌ｄに接地される扁平な形状を呈しており、その中心には第一アンカー部材１０の杭部（図示しない）が挿通可能な大きさの第一透孔（図示しない）が形成されている。
【００２５】
前後方向に傾斜して配設される第二保持棒材９は、第一保持棒材８と同一の構成を具備している。つまり、金属製の第二支持棒部３９と、その上端側に形成された複数の第二掛止部４０と、下端に形成された第二接地部４３とを備えて構成され、第二接地部４３には第二アンカー部材１１の杭部を挿通させるための第二透孔４４が形成されている。
【００２６】
なお、第一アンカー部材１０及び第二アンカー部材１１は、それぞれ第一透孔及び第二透孔４４を通して土壌ｄ内に打込まれる杭部（図示しない）、及び杭部の上端に形成された円環状の頭部（図示しない）からなり、第一保持棒材８及び第二保持棒材９に対して略直角に打込まれている。
【００２７】
ところで、本例の第二アタッチメント１４は、中央横設棒材６の支持だけではなく、下側横設棒材７の支持においても使用されている。ここで、下側横設棒材７を支持するために支柱３の下部に装着される場合には、第一突出部２７及び第二突出片２８が不要であるが、本例では第二アタッチメント１４を共通部品として使用することにより、部品点数を削減し、製造管理を容易にするとともに、組付ミスを抑制するようにしている。
【００２８】
なお、上側横設棒材５を支持するためのアタッチメントとしては、第二アタッチメント１４を用いることも可能であるが、本例では、第二アタッチメント１４とは異なる構成の第一アタッチメント１３が用いられている。この第一アタッチメント１３は、図１に示すように、支柱３の上端に被せられる円筒状のキャップ部１３ａと、キャップ部１３ａの上面に横設して形成された樋状の受容部１３ｂとから構成されており、上方から受容部１３ｂ内に上側横設棒材５を落とし込むことで、上側横設棒材５が支持されるようになっている。特に、上側横設棒材５の周囲を囲むように支持するため、最も大きな荷重が加わる上側横設棒材５であっても、確実に保持することが可能である。なお、第一アタッチメント１３は、支柱３に対して摺動させること、すなわち高さを調整することができないが、複数本の支柱３の高さを互いに揃えることにより、上側横設棒材５を水平状態で配設することが可能になる。また、第一アタッチメント１３の外周面には、第二突出部２８と同一形状の突出部（図示しない）が突出して形成されており、横架アタッチメント４５を連結させることが可能になっている。つまり、図３（ｂ）において２点鎖線で示すように、連結棒材５０に装着された横架アタッチメント４５を第一アタッチメント１３に連結させることも可能となっており、これによれば、連結棒材５０によって上側横設棒材５同士の間隔を一定に保つことができる。なお、この際、下側の連結棒材５０（実線で示した連結棒材５０）を省くことが可能となり、ひいては、隣接する二つの植物栽培システム２の間への進入が容易となる。また、図示しないが、第一アタッチメント１３には、固定部材１６と同様の構成が備えられており、これにより支柱３に対してキャップ部１３ａが外れることが防止されるようになっている。
【００２９】
このように、本実施形態の支柱保持装置１によれば、左右方向に配設される第一保持棒材８の第一掛止部３４と、前後方向に配設される第二保持棒材９の第二掛止部４０とを、第二アタッチメント１４の第一突出部２７及び第二突出部２８に引掛けるだけで、支柱３の左右方向及び前後方向の振れを防止することが可能になる。特に、第一保持棒材８及び第二保持棒材９の下端に形成された第一接地部及び第二接地部４３は、土壌ｄに接地されるとともに、略直角の方向に打込まれる第一アンカー部材１０及び第二アンカー部材１１によって固定されるため、譬え、強風等によって第一保持棒材８または第二保持棒材９の長手方向に外力が加わっても、接地状態を維持することができ、ひいては支柱３を常に安定した状態に保持することができる。
【００３０】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３１】
すなわち、上記実施形態では、筒状部材１５の周面から突出した受止突部１７によって中央横設棒材６を受止めるものを示したが、固定部材１６の締付ネジ２２を後方に向って突出させ、この締付ネジ２２を利用して中央横設棒材６を受止めるようにしてもよい。これによれば、締付ネジ２２が本発明の受止突部として兼用されることから、受止突部１７が不要となり、全体の構成を簡単にすることができる。
【符号の説明】
【００３２】
１  支柱保持装置（植物栽培用の支柱保持装置）
３  支柱
４  ネット材（蔓性植物用ネット）
６  中央横設棒材（横設棒材）
８  第一保持棒材
９  第二保持棒材
１０  第一アンカー部材
１１  第二アンカー部材
１４  第二アタッチメント（アタッチメント）
１５  筒状部材
１６  固定部材
１７  受止突部
２７  第一突出部
２８  第二突出部
３４  第一掛止部
４０  第二掛止部
４３  第二接地部
ｄ  土壌
【先行技術文献】
【特許文献】
【００３３】
【特許文献１】特開平１０−３１３６９９号
【図１】
2011004700.tif 000003
【図２】
2011004700.tif 000004
【図３】
2011004700.tif 000005